(57)【特許請求の範囲】
【請求項１】
浴室、シャワールーム等の壁面に取付けられた手すり等のパイプに沿ってスライドするスライド体の一側にシャワーヘッドを前方から掛け外し自在に支持する切欠を有するハンガー部を設けるとともに、スライド体の他側に締付け用の操作レバーを設け、前記パイプをスライド体の両側から挟むための一対のパイプ受けをスライド体内に設け、前記操作レバーの締付け操作により前記パイプ受けを前記パイプに挟着させてシャワーヘッドを支持するシャワーハンガーであって、前記ハンガー部は、前記スライド体の一側に前記スライド体のスライド方向に直交する方向を軸線として回転可能な状態で設けられた回転部分と、前記切欠を有して前記回転部分に取り外し可能に装着される装着部分と、前記操作レバーとハンガー部を左右に逆転配置させたときに、前記切欠に前記シャワーヘッドが掛止可能なように前記回転部分に対して前記装着部分を装着するための装着手段とを備えていることを特徴とするスライド式シャワーハンガー。
【発明の詳細な説明】
【０００１】
【発明の属する技術分野】
この発明は、浴室、シャワールーム等の壁面に取付けられた手すり等のパイプにシャワーヘッドをスライド可能に取り付けるためのスライド式シャワーハンガーに関するものである。
【０００２】
【従来の技術】
従来、シャワーヘッドを前方から掛け外し自在に支持する切欠を有するハンガー部を備えたシャワーハンガーとして、スライド体の正面視左側に操作レバーが位置するよう、また、スライド体の正面視右側に前記切欠を有するハンガー部が位置するようスライド体を例えば縦手すりに固定し、前記切欠にシャワーヘッドを取り付けた状態でハンガー部をスライド体に対しスライド体のスライド方向に直交する方向を軸線として回転させることでシャワーヘッドの角度調節が行えるものが提案されている。
【０００３】
【発明が解決しようとする課題】
しかし、上述したスライド体の正面視左側に操作レバーを有するタイプ（左用）のシャワーハンガーにおいては、使用状態の位置からスライド体を１８０°回転させ、かつ、ハンガー部を１８０°回転させても、ハンガー部の切欠は上下逆さまに位置するから、シャワーヘッドを掛止できなかった。ところで、使用者によっては左用のシャワーハンガーよりも、操作レバーがスライド体の正面視右側に位置するタイプ（右用）のものの方が使い易い場合もあるから、右用のシャワーハンガーも使用されている。
【０００４】
要するに、左用および右用の２つの専用タイプのシャワーハンガーしか市販されておらず、左用または右用のものに交換したり、あるいは、例えば右用のシャワーハンガーの方が使いやすい使用者が左用のものを使用したりする場合が生じたりして使用者にとっては使いづらかった。
【０００５】
この発明は、上記問題に鑑みてなしたもので、操作レバーをスライド体の左右のどちら側に配置しても使用できる構造のハンガー部を有するスライド式シャワーハンガーを提供することを目的としている。
【０００６】
【課題を解決するための手段】
上記目的を達成するために、この発明は、浴室、シャワールーム等の壁面に取付けられた手すり等のパイプに沿ってスライドするスライド体の一側にシャワーヘッドを前方から掛け外し自在に支持する切欠を有するハンガー部を設けるとともに、スライド体の他側に締付け用の操作レバーを設け、前記パイプをスライド体の両側から挟むための一対のパイプ受けをスライド体内に設け、前記操作レバーの締付け操作により前記パイプ受けを前記パイプに挟着させてシャワーヘッドを支持するシャワーハンガーであって、前記ハンガー部は、前記スライド体の一側に前記スライド体のスライド方向に直交する方向を軸線として回転可能な状態で設けられた回転部分と、前記切欠を有して前記回転部分に取り外し可能に装着される装着部分と、前記操作レバーとハンガー部を左右に逆転配置させたときに、前記切欠に前記シャワーヘッドが掛止可能なように前記回転部分に対して前記装着部分を装着するための装着手段とを備えている。
【０００７】
この発明では、使用状態の位置からスライド体を１８０°回転させ、かつ、ハンガー部を１８０°回転させても、ハンガー部の回転部分から取り外されたハンガー部の装着部分を、切欠を上下逆さまに位置させることなく、回転部分に装着できる。よって、操作レバーを左右のどちらに配置しても前記装着部分の切欠に前方からシャワーヘッドを掛けることができる。
【０００８】
【発明の実施の形態】
以下にこの発明のスライド式シャワーハンガーを図面を参照しつつ詳細に説明する。
図１〜図５において、１は、浴室、シャワールーム等の壁面に取付けられた、例えば縦手すり（以下、単に手すりという）で、２は、手すり１にガイドされてその立設方向（矢印Ａで示す方向）にスライドするスライド体である。前記手すり１は、ステンレス等のパイプからなり、表面には滑り難く握り易いように樹脂がコーティングされている。そして、スライド体２の正面視左側に操作レバー３が、スライド体２の正面視右側にシャワーヘッド４を掛止する切欠５を有するハンガー部６が、それぞれ位置するようスライド体２が手すり１の所定高さの位置に固定されている。
【０００９】
ハンガー部６は、前記立設方向に直交する方向（矢印Ｂで示す方向）を軸線７として矢印Ｃで示す方向に回転可能な状態で設けられており、後述するクリック機構によりハンガー部６の傾斜角度が調節される。
【００１０】
また、操作レバー３は矢印Ｆで示す方向に回動可能な状態で設けられており、この実施形態では、スライド体２を手すり１に固定するための締付け操作とスライド体２の手すり１に対する締付けを緩めて固定解除するための緩め操作が操作レバー３のレバー部３ａを矢印Ｆで示す方向に９０°回動させる度に交互に切換わる回動方式を採用している。すなわち、レバー部３ａが、図１のＰで示すように、下向きに位置するようセットされた場合と、上向きに位置するようセットされた場合は締付け操作が行われる一方、レバー部３ａが、図１のＱで示すように、後向きに水平に位置するようセットされた場合と、前向きに水平に位置するようセットされた場合には緩め操作が行われる。
【００１１】
８，９は、手すり１（パイプ）をスライド体２の両側から挟むための樹脂性のパイプ受けで、同一形状に形成されている。また、スライド体２は、パイプ挿通穴２ａを形成する曲面部１０，１１（図３参照）を有し、パイプ挿通穴２ａから操作レバー３側にセットされるパイプ受け８（図３参照）は、スライド体２の操作レバー３側の曲面部１０（図３参照）に形成された２つの縦孔１０ａ，１０ａを貫通する両足８ａ，８ａを有する。一方、パイプ受け９は、スライド体２のハンガー部６側の曲面部１１（図３参照）に形成された２つの縦孔１１ａ，１１ａを貫通する両足９ａ，９ａを有する。例えば、パイプ受け８は、図５に示すように、中央にピン穴３０が形成された湾曲形状の胴部８ｂと足８ａ，８ａで構成され、胴部８ｂの湾曲部分ｎの形状は、手すり１のパイプ径（例えば、φ３４，φ３０，φ２８ｍｍ）に応じた曲率に設定されている。すなわち、パイプ受け８の両足８ａ，８ａ間の長さは３種のパイプ径で同一に設定されており、唯一湾曲部分ｎの曲率が異なる。よって、パイプ径に応じてパイプ受け８を交換するだけでよい。
【００１２】
１２，１３は、操作レバー３およびスライド体２間に設けられる同一形状のディスクで、ディスク１２は操作レバー３の締付け・緩め操作に連動して回動する回動ディスク、ディスク１３は矢印Ｂで示す方向にパイプ受け８と共にスライドするスライドディスクである。例えば、ディスク１２は中央を貫通するピン挿入用の穴１６を有し、操作レバー３側の面１２ａには、操作レバー３の係合突起（図示せず）とでディスク１２を操作レバー３に係止させるための係止溝１５が外周に形成され、さらに、ピン挿入用の穴１６に隣接して２個のボール溝１７が形成されている。一方、ディスク１３の操作レバー３側の面１３ａにも同様のものが形成されている。また、ディスク１２のスライド体２側の面１２ｂには、ディスク１３のスライド体２側の面１３ｂと同様のものが形成されている。すなわち、ディスク１２の面１２ｂ〔図６（Ａ），（Ｂ）参照〕には、ピン挿入用の穴１６の周りに、浅い窪み２０，２０および深い窪み２１，２１が９０°間隔で交互に形成されており、さらに、ディスク１３の面１３ｂには、浅い窪み２０，２０に隣接して外方側に、パイプ受け８の両足８ａ，８ａの先端挿入部分ｍ，ｍ（図３参照）が嵌挿可能な大きさの溝１８，１８が形成されている。
【００１３】
２２は、ディスク１２，１３間に介装される２個のボールで、図６（Ａ）に示す緩め操作のときには、ディスク１２の深い窪み２１とディスク１３のボール溝１７にボール２２が嵌まり込む。この状態から、レバー部３ａを矢印Ｆで示す方向に９０°回動させると、ディスク１２も回動してボール２２がディスク１３のボール溝１７に嵌まり込んだ状態で、ディスク１２の深い窪み２１から浅い窪み２０に乗り移り、ディスク１２の浅い窪み２０とディスク１３のボール溝１７にボール２２が位置する〔図６（Ｂ）参照〕。このため、深い窪み２１と浅い窪み２０の深さ分に相当する長さ（＝Ｄ−ｄ）だけディスク１３がパイプ受け８と共に手すり側にスライドして手すり１が両側からパイプ受け８，９によって挟まれることで、スライド体２を手すり１に固定できる。
【００１４】
この締付け・緩め操作は、ピン３１、２つのスプリング３２，３３を用いて行われる。なお、３４は、ピン３１に形成された係止凹部３５に係入されるストッパ、３６はピン３１先端に位置するストッパである。
【００１５】
また、操作レバー３は、操作レバー３の内周溝４１にスライド体２の係止突起４０〔図６（Ｂ）参照〕を嵌め込むことで取付けられる。
【００１６】
一方、ハンガー部６は、後述するハンガー部６の回転部分６ａの内周溝５１にスライド体２の係止突起５２（図３、図５参照）を嵌め込むことで取付けられるとともに、図３、図５に示すように、板バネ５３をスライド体２に形成された溝５４に嵌め込む一方、ハンガー部６の回転部分６ａの対向する位置に、回転部分６ａの回転に伴って板バネ５３の頭５３ａに当接可能な溝５５を設けることで、ハンガー部６のクリック機構が構成されている。
【００１７】
更に、ハンガー部６は、スライド体２の一側にＢ方向を軸線として回転可能な状態で設けられた回転部分６ａと、シャワーヘッド４を前方から掛け外し自在に支持する切欠５を有して回転部分６ａに取り外し可能に装着される装着部分６ｂと、操作レバー３とハンガー部６を左右に逆転配置させたときに、切欠５にシャワーヘッド４が掛止可能なように回転部分６ａに対して装着部分６ｂを装着するための装着手段から構成されている。
【００１８】
そして、シャワーヘッド４を掛止する切欠５は、上部にテーパ部５ａを、下部に垂直部５ｂを有する。すなわち、切欠５の上部は、シャワーヘッド４を取り付けやすいようにテーパ状に形成されている。
【００１９】
前記装着部分６ｂには、上方に突出した係合爪ａ，ａを両端に有するリブ７０と下方に突出した係合爪ｂ，ｂを両端に有するリブ７１とを上下二段に設けてなる係合片部７２が背面Ｍの略中央に形成されている。この上リブ７０と下リブ７１は、同一形状になっており、上下対称に配置されている。
【００２０】
一方、前記回転部分６ａには、前記係合片部７２が係入可能なように係入溝７３が垂直面Ｎに形成されている。この係入溝７３には、上面に前記上リブ７０の係合爪ａ，ａが係入可能な大きさの凹所ｃ，ｃが係合爪ａ，ａの間隔に対応した間隔で形成されており、下面に前記下リブ７１の係合爪ｂ，ｂが係入可能な大きさの凹所ｄ，ｄが係合爪ｂ，ｂの間隔に対応した間隔で形成されている。勿論、凹所ｃ，ｃと凹所ｄ，ｄは全て同一形状に形成されている。
【００２１】
而して、図６（Ａ）に示す緩め操作のときには、パイプ受け８，９間の中心距離はＤに設定されている。この状態で、スライド体２をパイプ挿通穴２ａを介して手すり１に挿入できる。そして、スライド体２が手すり１の所定高さの位置に来ると、レバー部３ａを９０°回動させる。このとき、ディスク１２も回動してボール２２がディスク１３のボール溝１７に嵌まり込んだ状態で、ディスク１２の深い窪み２１から浅い窪み２０に乗り移り、ディスク１２の浅い窪み２０とディスク１３のボール溝１７にボール２２が位置する〔図６（Ｂ）参照〕。このため、深い窪み２１と浅い窪み２０の深さ分に相当する長さ（＝Ｄ−ｄ）だけディスク１３がパイプ受け８と共に手すり側にスライドして手すり１が両側からパイプ受け８，９によって挟まれることで、スライド体２を手すり１に固定できる。
【００２２】
そして、図４（Ａ）に示す使用状態の位置からスライド体２を１８０°回転させてハンガー部６の切欠５が背面側に隠れた状態から、ハンガー部６を１８０°回転させて切欠５を上下逆さまに位置させても、ハンガー部６の回転部分６ａから装着部分６ｂを抜き取り、テーパ部５ａが上部にくるよう抜き取った装着部分６ｂを正転させ、この状態で装着部分６ｂを正面視左側から差し込む〔図４（Ｂ）参照〕ことにより、切欠５に前方からシャワーヘッド４を掛けることが可能になる。
【００２３】
【発明の効果】
以上説明したようにこの発明によれば、シャワーヘッドを前方から掛け外し自在に支持する切欠を有するハンガー部を、スライド体の一側にスライド体のスライド方向に直交する方向を軸線として回転可能な状態で設けられた回転部分と、切欠を有して前記回転部分に取り外し可能に装着される装着部分と、操作レバーとハンガー部を左右に逆転配置させたときに、切欠に前記シャワーヘッドが掛止可能なように前記回転部分に対して前記装着部分を装着するための装着手段とから構成したものである。よって、操作レバーをスライド体の左右のどちら側に配置しても使用できるものであって、従来のように左用および右用といった専用タイプのシャワーハンガーに比して、左右兼用できるため、使い勝手のよいシャワーハンガーを提供できる上に、従来のように２種類必要ではないので、生産コストを安価にできる。
【図面の簡単な説明】
【図１】この発明の一実施形態を示す全体構成説明図である。
【図２】上記実施形態における装着機構を示す分解斜視図である。
【図３】上記実施形態における横断平面図である。
【図４】上記実施形態における使用の状態を説明するための図である。
【図５】上記実施形態における全体分解斜視図である。
【図６】上記実施形態における緩め操作および締付け操作を説明するための図である。
【符号の説明】
１…手すり、２…スライド体、３…操作レバー、４…シャワーヘッド、５…切欠、６…ハンガー部、６ａ…回転部分、６ｂ…装着部分、７…軸線、８，９…パイプ受け、７２…係合片部、７３…係入溝、Ａ…立設方向、Ｂ…立設方向に直交する方向。
【図１】
0003702046.tif 000002
【図２】
0003702046.tif 000003
【図３】
0003702046.tif 000004
【図４】
0003702046.tif 000005
【図５】
0003702046.tif 000006
【図６】
0003702046.tif 000007